(57)【要約】      （修正有）【課題】ドラムの盗難を防止することができる盗難防止器具を提供する。【解決手段】盗難防止器具１０は、棒部材１１と、一対の連結部材１３と、を持つ。棒部材は、線材が巻回されるドラム１の軸孔４ａに対して、ドラムの軸方向に沿うように挿入される。一対の連結部材はブロック部材１４と装着部１５を有し、棒部材の両端部に装着され、ブロック部材にはロック手段３０を挿通可能な取付孔１８が形成されている。【選択図】図２
0003197288.tif 000002
【実用新案登録請求の範囲】
【請求項１】
線材が巻回されるドラムの軸孔に対して、前記ドラムの軸方向に沿うように挿入される棒部材と、
前記棒部材の両端部に装着され、ロック手段を挿通可能な取付孔が形成された一対の連結部材と、
を有する盗難防止器具。
【請求項２】
前記軸方向から見たとき、前記一対の連結部材のうち、少なくとも一方の前記連結部材の外形は、前記軸孔の内形よりも大きい、
請求項１に記載の盗難防止器具。
【請求項３】
前記一対の連結部材のうち、少なくとも一方の前記連結部材は、
前記棒部材に装着された状態において、前記軸方向に沿うように延在する連結ピースと、
前記取付孔が形成され、前記連結ピースに対して回転可能に取り付けられたプレートと、
を有する請求項１または２に記載の盗難防止器具。
【請求項４】
前記プレートは、長尺状に形成されるとともに、前記連結ピースに対して前記軸方向に交差する回転軸周りに回転可能に取り付けられ、
前記プレートを有する前記連結部材は、
前記プレートの長手方向が前記軸方向に沿うように前記プレートを回転移動させた第１状態と、
前記プレートの長手方向が前記軸方向と交差するように前記プレートを回転移動させた第２状態と、に切り替え可能に形成され、
前記第１状態において、前記プレートを有する前記連結部材は、前記軸孔を挿通可能となっている、
請求項３に記載の盗難防止器具。
【考案の詳細な説明】
【技術分野】
【０００１】
本考案の実施形態は、盗難防止器具に関する。
【背景技術】
【０００２】
大電力を長距離伝送するための電力線等のケーブルは、ドラムに巻回された状態で工事現場に搬入され、保管される。ところで、ドラムに巻回されるケーブルのケーブル径が大きい場合や、ケーブル長が長い場合には、ドラムは大型化および高重量化し、取り回しが困難となる。このため、ケーブルが巻回されたドラムは、そのまま屋外に保管されることがある。
【０００３】
近年、金属材料の価格の上昇により、屋外に保管されたケーブルは、ドラムごと盗難されるおそれがある。そこで、ドラムの盗難を防止する盗難防止器具が種々提案されている。ところが、簡素な構成の盗難防止器具は、視覚的に盗難が容易である印象を与える場合があった。
【先行技術文献】
【特許文献】
【０００４】
【特許文献１】特許第４１１６０６８号公報
【考案の概要】
【考案が解決しようとする課題】
【０００５】
本考案が解決しようとする課題は、ドラムの盗難を防止することができる盗難防止器具を提供することである。
【課題を解決するための手段】
【０００６】
実施形態の盗難防止器具は、棒部材と、一対の連結部材と、を持つ。棒部材は、線材が巻回されるドラムの軸孔に対して、ドラムの軸方向に沿うように挿入される。一対の連結部材は、棒部材の両端部に装着され、ロック手段を挿通可能な取付孔が形成されている。
【図面の簡単な説明】
【０００７】
【図１】ドラムを示す斜視図。
【図２】第１の実施形態の盗難防止器具を示す構成図。
【図３】第１の実施形態の盗難防止器具を示す側面図。
【図４】第１の実施形態の変形例の盗難防止器具を示す側面図。
【図５】第２の実施形態の盗難防止器具を示す構成図。
【図６】第２の実施形態の盗難防止器具を示す構成図。
【考案を実施するための形態】
【０００８】
以下、実施形態の盗難防止器具を、図面を参照して説明する。
【０００９】
（第１の実施形態）
図１は、ドラムを示す斜視図である。
図１に示すように、ドラム１は、円筒部３に電力線等のケーブル２が巻回される。ドラム１は、例えば木材等により形成されている。なお、以下の説明では、円筒部３の中心軸Ｐ（すなわち、ドラム１の中心軸Ｐ）における軸方向を単に「軸方向」といい、中心軸Ｐに直交する方向を「径方向」という。
円筒部３の軸方向における両端部には、一対の円板状の鍔部４が設けられている。一対の鍔部４の直径は、円筒部３の外径よりも大きくなっている。
【００１０】
一対の鍔部４には、軸孔４ａが設けられている。軸孔４ａは、軸方向視で円形状に形成され、鍔部４を厚さ方向に貫通している。軸孔４ａの内径は、円筒部３の内径よりも小さくなっている。軸孔４ａの中心軸は、ドラム１の中心軸Ｐに一致している。
【００１１】
図２は、第１の実施形態の盗難防止器具を示す構成図であって、中心軸Ｐを含む部分断面図である。図３は、第１の実施形態の盗難防止器具を示す側面図である。なお、図２および図３では、盗難防止器具１０は、ドラム１に取り付けられた状態を示している。また、図２では、ドラム１を２点鎖線で示している。
【００１２】
図２に示すように、盗難防止器具１０は、ドラム１の軸孔４ａに挿入されるパイプ１１（請求項における「棒部材」に相当。）と、パイプ１１の両端部に装着されるエンドピース１３（請求項における「連結部材」に相当。）と、を備えている。
パイプ１１は、例えば金属材料により形成され、直径が軸孔４ａの内径よりも小さくなっている。パイプ１１の長さは、ドラム１の軸方向における長さよりも長くなっている。
【００１３】
エンドピース１３は、ブロック部材１４と、ブロック部材１４とパイプ１１とを接続する装着部１５と、を有する。ブロック部材１４は、径方向を長手方向とする、平面視で長方形状に形成された板部材である。ブロック部材１４には、取付孔１８が形成されている。取付孔１８には、後述するロック手段３０が挿通可能とされている。装着部１５は、円柱状に形成され、ブロック部材１４の軸方向一端面における中央部から、軸方向に沿って延出している。装着部１５の直径は、軸孔４ａの内径よりも小さくなっている。装着部１５の先端部は、ネジ切り加工されており、パイプ１１の端部に螺着されている。この際、装着部１５とパイプ１１とは、螺着が解除されないようにクランプ等により固定されていてもよい。
図３に示すように、軸方向から見たとき、ブロック部材１４の外形は、軸孔４ａの内形よりも大きくなっている。より具体的に、ブロック部材１４は、その長手方向における寸法が軸孔４ａの内径よりも大きくなっている。
【００１４】
以下、本実施形態の盗難防止器具１０の適用方法および作用について説明する。
最初に、盗難防止器具１０をドラム１に取り付ける。具体的に、まず、パイプ１１の一端部にエンドピース１３を装着する。次いで、パイプ１１を他端部から、ドラム１の軸孔４ａに対して軸方向に沿うように挿入する。次いで、パイプ１１の他端部に、エンドピース１３を装着する。これにより、盗難防止器具１０は、一対のブロック部材１４によりドラム１を挟んだ状態となり、ドラム１から脱落しなくなる。
【００１５】
次に、盗難防止器具１０を、強固な構造物に連結する。具体的に、鎖４０の両端部を、それぞれ例えば南京錠等のロック手段３０を介して、一対のエンドピース１３の取付孔１８に取り付ける。この際、鎖４０を支柱等の強固な構造物に巻回する等して連結する。これにより、ドラム１は、盗難が防止された状態で保管場所に保管される。なお、盗難防止器具１０と構造物との連結は、例えばワイヤー等を用いてもよい。
【００１６】
本実施形態によれば、盗難防止器具１０は、ドラム１の軸孔４ａに対して挿入されるパイプ１１と、パイプ１１の両端部に装着され、ロック手段３０を挿通可能な取付孔１８が形成された一対のエンドピース１３と、を持つ。これにより、盗難防止器具１０をドラム１に装着した状態で、取付孔１８にロック手段３０を挿通させて他の構造物に連結することができる。このため、盗難防止器具１０が取り付けられたドラム１を、盗難が防止された状態で保管できる。しかも、盗難防止器具１０は、パイプ１１と、その両端部に取り付けられたエンドピース１３と、により形成されているため、盗難者に対して視覚的に重厚で破壊することが困難な印象を与えることができる。したがって、ドラム１の盗難を防止できる。
【００１７】
また、一対の軸孔４ａが大きく離間している場合、一対のエンドピース１３同士を、円筒部３の内側を通される鎖等の撓みやすい部材により接続することは困難である。これに対して、本実施形態の盗難防止器具１０は、円筒部３の内側を通されるパイプ１１を持つ。このため、盗難防止器具１０をドラム１に取り付ける際に、一対の軸孔４ａが大きく離間している場合であっても、パイプ１１を介して一対のエンドピース１３同士を容易に接続させることができる。
【００１８】
さらに、軸方向から見たとき、エンドピース１３の外形は、軸孔４ａの内形よりも大きい。このため、ドラム１に取り付けられた盗難防止器具１０が軸方向に沿って移動した際に、エンドピース１３が鍔部４に接触する。これにより、盗難防止器具１０がドラム１の軸孔４ａから脱落することを防止できる。したがって、盗難防止器具１０をドラム１に確実に取り付けることができる。
【００１９】
以下、本実施形態の盗難防止器具の変形例について説明する。なお、上述した実施形態と同一部分については同一の符号を付して、説明を省略または簡略化する。
図４は、第１の実施形態の変形例の盗難防止器具を示す側面図である。なお、図４では、盗難防止器具１１０は、ドラム１に取り付けられた状態を示している。
【００２０】
図３に示す第１の実施形態では、盗難防止器具１０のエンドピース１３は、長方形状の板部材であるブロック部材１４を備えていたが、これに限定されない。図４に示すように、変形例の盗難防止器具１１０のエンドピース１１３は、円板状のブロック部材１１４を備えている。ブロック部材１１４の直径は、軸孔４ａの内径よりも大きくなっている。このため、エンドピース１１３は、軸方向から見てドラム１の軸孔４ａを覆うことができる。これにより、例えば重機等を用い、軸孔４ａを利用してドラム１を把持および運搬する盗難を防止することができる。なお、ブロック部材１１４の形状は円板状に限定されず、例えば矩形板状等、軸孔４ａを覆うことができる形状であれば同様の効果が得られる。
【００２１】
（第２の実施形態）
次に、第２の実施形態の盗難防止器具について説明する。
図５および図６は、第２の実施形態の盗難防止器具を示す構成図であって、中心軸Ｐを含む部分断面図である。なお、図５および図６では、盗難防止器具２１０は、ドラム１に取り付けられた状態を示している。また、図５および図６では、ドラム１を２点鎖線で示している。
【００２２】
図２に示す第１の実施形態では、パイプ１１の両端部には、エンドピース１３が装着されていた。また、第１の実施形態では、１個のドラム１を他の構造物に連結して盗難を防止していた。これに対して、図５に示す第２の実施形態では、パイプ１１の少なくとも一端部に、連結ピース２２およびプレート２３を有する連結ユニット２１（請求項の「連結部材」に相当。）が装着されている点で、図２に示す第１の実施形態と異なっている。さらに、第２の実施形態では、複数のドラム１を連結して盗難を防止している点で、図２に示す第１の実施形態と異なっている。なお、上述した実施形態と同一部分については同一の符号を付して、説明を省略または簡略化する。また、図５では、隣り合う盗難防止器具２１０同士が互いに連結された状態を示している。
【００２３】
図５に示すように、パイプ１１の一端部には、連結ユニット２１が装着されている。連結ユニット２１は、連結ピース２２と、連結ピース２２に取り付けられたプレート２３と、を有する。
連結ピース２２は、円柱状に形成されている。連結ピース２２の直径は、軸孔４ａの内径よりも小さくなっている。連結ピース２２の一端部は、ネジ切り加工されており、パイプ１１の端部に螺着されている。
【００２４】
プレート２３は、平面視で長方形状に形成された板部材である。プレート２３には、取付孔１８が形成されている。取付孔１８は、プレート２３の長手方向における一端に、プレート２３の長手方向に沿って複数（本実施形態では２個）形成されている。
プレート２３は、その長手方向における他端に設けられた軸部２４により、連結ピース２２に対して、軸方向に直交する回転軸Ｑ周りに回転可能に取り付けられている。これにより、連結ユニット２１は、プレート２３の長手方向が軸方向に沿うようにプレート２３を回転移動させた第１状態（図６において実線で示す状態）と、プレート２３の長手方向が軸方向と交差するようにプレート２３を回転移動させた第２状態（図６において２点鎖線で示す状態）と、に切り替え可能となっている。
【００２５】
ここで、プレート２３の外形は、第１状態において軸孔４ａを挿通可能な形状とされている（図６参照）。これにより、盗難防止器具２１０は、エンドピース１３および連結ユニット２１がパイプ１１に装着された状態で、ドラム１に取り付けられることが可能となっている。
また、軸方向から見たとき、プレート２３の外形は、第２状態において軸孔４ａの内形よりも大きくなっている。第２状態における盗難防止器具２１０は、プレート２３が鍔部４に接触することで、ドラム１からの脱落が防止される。
【００２６】
以下、本実施形態の盗難防止器具２１０の適用方法および作用について説明する。
図５に示すように、複数のドラム１を保管する際には、盗難防止器具２１０を用いて複数のドラム１を連結させる。
例えば、２個のドラム１を保管する際には、エンドピース１３および連結ユニット２１を備えた盗難防止器具２１０をそれぞれのドラム１に取り付ける。次いで、各ドラム１に取り付けられた盗難防止器具２１０のプレート２３同士を、取付孔１８の位置が一致するように重ね合わせる。
【００２７】
ここで、図５に示すように、各ドラム１の鍔部４の直径が異なっている場合、各ドラム１の中心軸Ｐの位置がずれた状態となる。しかしながら、連結ユニット２１のプレート２３は、連結ピース２２に対して回転可能とされている。これにより、取付孔１８の位置を、回転軸Ｑ周りにおいて調整することができるため、取付孔１８の位置が一致するようにプレート２３同士を重ね合わせることができる。
【００２８】
次いで、プレート２３同士を重ね合わせた状態で、それぞれの取付孔１８にロック手段３０を挿通させてロックすることで、一対の盗難防止器具２１０同士が連結される。このように、一対の盗難防止器具２１０の連結ユニット２１同士を連結させることで、２個のドラム１を連結させることができる。これにより、各ドラム１を個別に運搬することが困難となるため、ドラム１の盗難を防止することができる。
【００２９】
３個以上のドラム１を保管する際には、２種類の盗難防止器具２１０を用いる。具体的に、軸方向に対して縦列配置された複数のドラム１のうち、両端に配置されたドラム１には、エンドピース１３および連結ユニット２１を備えた盗難防止器具２１０が取り付けられる。また、両端以外に配置されたドラム１には、２個の連結ユニット２１を備えた盗難防止器具２１０が取り付けられる。次いで、隣り合うドラム１に取り付けられた盗難防止器具２１０の連結ユニット２１のプレート２３同士を、取付孔１８の位置が一致するように重ね合わせる。この際、各ドラム１の中心軸Ｐの位置がずれた状態であっても、上述した２個のドラム１を保管する場合と同様に、取付孔１８の位置を一致させることができる。次いで、ロック手段３０を取付孔１８に挿通させてロックすることで、隣り合う一対の盗難防止器具２１０同士が連結される。このように、隣り合う一対の盗難防止器具２１０の連結ユニット２１同士を連結させることで、３個以上のドラム１を連結させることができる。これにより、各ドラム１を個別に運搬することが困難となるため、ドラム１の盗難を防止することができる。
【００３０】
本実施形態によれば、盗難防止器具２１０は、軸方向に沿うように延在する連結ピース２２と、取付孔１８が形成され、連結ピース２２に対して回転可能に取り付けられたプレート２３と、を有する連結ユニット２１を備えている。これにより、盗難防止器具２１０は、取付孔１８の位置をドラム１の軸孔４ａの位置に対して移動させることができる。このため、盗難防止器具２１０は、複数のドラム１が中心軸Ｐの位置がずれた状態で配置された場合であっても、連結ユニット２１を介して連結させることができる。したがって、縦列配置された複数のドラム１を個別に運搬することが困難となるため、ドラム１の盗難を防止することができる。
【００３１】
また、プレート２３が長尺状に形成され、連結ユニット２１は、第１状態において軸孔４ａを挿通可能となっている。このため、盗難防止器具２１０は、エンドピース１３および連結ユニット２１が装着された状態で、ドラム１に取り付けられることが可能となっている。これにより、盗難防止器具２１０の取り付け作業を簡略化することができる。
【００３２】
なお、本実施形態では、連結ピース２２は、円柱状に形成されていたが、これに限定されるものではない。連結ピース２２は、円柱状であって、その外周面のうちプレート２３が取り付けられる部分が平坦に形成されてもよいし、多角柱状に形成されてもよい。
【００３３】
また、上記各実施形態では、エンドピース１３および連結ユニット２１は、パイプ１１に対して螺着されていたが、例えば圧入等により固定されてもよい。
【００３４】
以上説明した少なくともひとつの実施形態によれば、盗難防止器具は、ドラムの軸孔に対して挿入されるパイプと、パイプの両端部に装着され、ロック手段を挿通可能な取付孔が形成されたエンドピースおよび連結ユニットのうち少なくとも一方と、を持つことにより、盗難防止器具をドラムに装着した状態で、取付孔にロック手段を挿通させて他の構造物に連結することができる。このため、盗難防止器具が取り付けられたドラムを、盗難が防止された状態で保管できる。しかも、盗難防止器具は、パイプと、その両端部に取り付けられたエンドピースまたは連結ユニットと、により形成されているため、盗難者に対して視覚的に重厚で破壊することが困難な印象を与えることができる。したがって、ドラムの盗難を防止できる。
【００３５】
本考案のいくつかの実施形態を説明したが、これらの実施形態は、例として提示したものであり、考案の範囲を限定することは意図していない。これら実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると同様に、実用新案登録請求の範囲に記載された考案とその均等の範囲に含まれるものである。
【符号の説明】
【００３６】
１…ドラム、２…ケーブル、４ａ…軸孔、１０，１１０，２１０…盗難防止器具、１１…パイプ（棒部材）、１３，１１３…エンドピース（連結部材）、１８…取付孔、２１…連結ユニット（連結部材）、２２…連結ピース、２３…プレート、３０…ロック手段、Ｑ…回転軸
【図１】
0003197288.tif 000003
【図２】
0003197288.tif 000004
【図３】
0003197288.tif 000005
【図４】
0003197288.tif 000006
【図５】
0003197288.tif 000007
【図６】
0003197288.tif 000008